(57)【特許請求の範囲】
【請求項１】
記録媒体に情報を記録する時にクロック信号ｃｈＣＬＫを動作クロックとし、半導体レーザの記録駆動電流波形を生成するＬＤ記録駆動電流波形生成手段と、記録媒体より情報を読み出す時に半導体レーザに再生駆動電流を供給する再生駆動電流供給手段とを有する半導体レーザ駆動回路と、
該半導体レーザ駆動回路に該クロック信号ｃｈＣＬＫを供給する記録クロック供給手段と、
該半導体レーザ駆動回路の記録、再生動作を制御する記録再生モード制御手段と、
該半導体レーザ駆動回路を光ピックアップに搭載し、該記録クロック供給手段からのクロック信号をフレキシブルケーブルを介して該半導体レーザ駆動回路に供給し
該記録再生モード制御手段の出力が再生動作を指示している時、該記録クロック供給手段から該半導体レーザ駆動回路へのクロック信号ｃｈＣＬＫの供給を停止するクロック停止手段とを有することを特徴とする光ディスク装置。
【請求項２】
クロック信号ＣＬＫの周波数をｎてい倍（ｎは正の整数）したクロック信号ｃｈＣＬＫを出力するてい倍手段と、記録媒体に情報を記録する時にクロック信号ｃｈＣＬＫを動作クロックとし、半導体レーザの記録駆動電流波形を生成するＬＤ記録駆動電流波形生成手段と、記録媒体より情報を読み出す時に半導体レーザに再生駆動電流を供給する再生駆動電流供給手段を有する半導体レーザ駆動回路と、
該半導体レーザ駆動回路に該クロック信号ＣＬＫを供給する記録クロック供給手段と、
該半導体レーザ駆動回路の記録、再生動作を制御する記録再生モード制御手段と、
該記録再生モード制御手段の出力が再生動作を指示している時、該記録クロック供給手段から該半導体レーザ駆動回路へのクロック信号ＣＬＫの供給を停止するクロック停止手段とを有することを特徴とする光ディスク装置。
【請求項３】
請求の範囲第２項記載の光ディスク装置において、
該てい倍手段を、クロック信号ＣＬＫとクロック信号ｃｈＣＬＫの位相差を検出する位相差検出手段、該位相差検出手段の出力値に対応して発振周波数を変えるＶＣＯと、
記録再生モード制御手段の出力が再生動作を指示している時、直前の記録動作時の該ＶＣＯの発振周波数を保持するホールド手段とを有する構成にしたことを特徴とする光ディスク装置。
【請求項４】
信号処理回路からフレキシブルケーブルを介して、光ピックアップが備える半導体レーザ駆動回路を制御する信号を供給する構成の光ディスク装置において、
前記半導体レーザ駆動回路は、前記フレキシブルケーブルを介して前記信号処理回路から供給される２値化信号及び記録クロック信号に基づいて半導体レーザの駆動電流信号を生成する構成であり、
前記信号処理回路は、データの記録時に前記記録クロック信号を供給し、データの再生時に前記記録クロック信号の供給を停止する構成であることを特徴とする光ディスク装置。
【請求項５】
信号処理回路からフレキシブルケーブルを介して、光ピックアップが備える半導体レーザ駆動回路を制御する信号を供給する構成の光ディスク装置において、
前記半導体レーザ駆動回路は、前記フレキシブルケーブルを介して前記信号処理回路から供給される２値化信号及び記録クロック信号に基づいて半導体レーザの駆動電流信号を生成する構成であり、
リード期間中は記録クロックを停止させ、記録動作に先立ち所定時間早いタイミングで記録クロックを送出する構成であることを特徴とする光ディスク装置。
【請求項６】
請求の範囲第４項又は第５項記載の光ディスク装置において、
前記半導体レーザ駆動回路は、前記２値化信号、前記記録クロック信号及び前記信号処理回路から前記フレキシブルケーブルを介して供給されるデータ再生時の前記半導体レーザの駆動電流信号に基づいて、データ記録時の前記半導体レーザの駆動電流信号を生成する構成であることを特徴とする光ディスク装置。
【請求項７】
請求の範囲第４項から第６項の何れか一項に記載の光ディスク装置において、
前記半導体レーザ駆動回路は、前記信号処理回路から前記フレキシブルケーブルを介して供給される記録クロック信号をｎ倍（ｎは正の整数）して前記半導体レーザの駆動電流信号を生成する構成であることを特徴とする光ディスク装置。
【請求項８】
請求の範囲第４項から第７項の何れか一項に記載の光ディスク装置において、
光ディスク上に記録されているアドレス情報を再生して記録位置を確認した後に該光ディスクにデータを記録することを特徴とする光ディスク装置。
【発明の詳細な説明】
技術分野
本発明は、記録媒体たる光ディスクに対する情報の記録及び再生技術に関し、特に、記録媒体より情報（記録媒体に予め記録されたアドレス情報を含む）を読み出す時に、記録系の回路動作による再生系へのクロストーク等による再生系のＳ／Ｎ劣化を防止する情報の記録及び再生技術に関するものである。
背景技術
ＣＤ、ＤＶＤ等の光ディスクに関する製品分野では、近年ますます光ディスクの大容量化、光ディスク装置のデータ転送の高速化が望まれている。また、この光ディスクの大容量化に伴い、光ディスク上に形成するマークおよびスペース（情報の１、０に対応）は、より微細であることが求められ、光ディスク装置は、このような微細なマーク及びスペースを形成できるようにする必要がある。
正確で微細なマークおよびスペースを形成するためは、記録時の半導体レーザの駆動電流波形を、１つのマーク記録波形をマルチパルス化するとともにマーク始端のパルス位置あるいはパルス幅、およびマーク終端のパルス位置あるいはパルス幅を、自身のマークの長さおよび隣接するスペースの長さに対応してアダプティブに制御する必要がある。例えば、ＤＶＤ−ＲＡＭでは、上述のパルス位置あるいはパルス幅のアダプティブ制御として、Ｔ／１６からＴ／３２ステップ（Ｔはマークおよびスペース長を決める最小単位でいわゆるチャンネルクロックｃｈＣＬＫの周期）で制御することが要求されている。
また、駆動電流波形のレベルも従来の２値に対して４値にする必要があるなど、駆動電流波形が複雑化してきている。さらに、データ転送の高速化に伴い、前述の駆動電流波形がより高周波化となってきている。
このように、大容量化、データ転送の高速化に伴い、半導体レーザに供給する電流を多値レベルでかつ高速に切替える必要がある。このような高速の電流切替特性（駆動電流の立ち上がり特性：Ｔｒ特性、立ち下がり特性：Ｔｆ特性）を確保するためには、半導体レーザ駆動回路を半導体レーザに近接して配置することが好ましい。
この要求に対して、従来の半導体レーザ駆動回路では、複数の電流源を有しこれを外部より少なくとも１つ選択して半導体レーザを駆動する構成をとっていた。このため、駆動電流波形の多値化に伴って電流源を選択する制御信号線数が増加してしまう。また、半導体レーザ駆動回路を光ピックアップに搭載した場合、制御信号をフレキシブルケーブルを介して供給するため、制御信号波形のなまりや、制御信号間の遅延量の差（スキュー）によって正確な駆動電流波形が得られないという難点があった。
この難点を解決する光ディスク装置として、本特許出願人は、特願平１０−２０６０８３号に記載の光ディスク装置を提案している。
特願平１０−２０６０８３号で示した半導体レーザ駆動回路は、記録媒体に記録する２値化記録信号（例えばＮＲＺ信号）に対応して半導体レーザを駆動する駆動波形の情報を１つ以上記憶する駆動波形情報記憶手段、駆動波形情報記憶手段の記憶情報をもとに駆動波形を復元する駆動波形復元手段、２値化記録信号をもとに前記駆動波形情報記憶手段の駆動波形情報を選択するアドレス生成手段、外部より供給される駆動波形情報を前記駆動波形情報記憶手段に記憶する制御手段およびフレキシブルケーブルを介して供給されるクロック信号ＣＬＫをｎてい倍してチャンネルクロック信号ｃｈＣＬＫを出力し、アドレス生成手段および駆動波形復元手段の動作クロック信号として供給するｎてい倍手段（いわゆるＰＬＬ）で構成している。
駆動波形復元手段は、ｎてい倍手段より出力されるチャンネルクロック信号ｃｈＣＬＫをもとにディレイラインを用いてｃｈＣＬＫの周期ＴをＮ等分する（例えばＤＶＤ−ＲＡＭでは１６とか３２等分）タイミング信号を生成し、前述のパルス幅あるいはパスル位置の制御を可能にしている。
この構成により、予め前記制御手段を介して駆動波形情報を駆動波形情報記憶手段に記憶しておけば、記録時には、光ピックアップに搭載された半導体レーザ駆動回路には、２値化記録信号（ＮＲＺ）とクロック信号ＣＬＫおよび記録あるいは再生動作のモードを制御する信号ＷＲｇａｔｅをフレキシブルケーブルを介して供給することにより駆動電流波形を生成し、半導体レーザを直近で駆動することにより従来例のフレキシブルケーブル上での制御信号のなまりやスキューによる駆動電流波形の歪み等の難点は改善され、所望のＴｒ，Ｔｆ特性も確保することが可能となる。
また、ｎてい倍手段のてい倍数ｎを４とすれば、クロック信号ＣＬＫの周波数はｃｈＣＬＫの１／４となり、従来例（ｃｈＣＬＫと同じ周波数の電流源選択信号を供給する必要がある）に比し、フレキシブルケーブル上の制御信号の周波数を従来例に比し１／４に低減でき、フレキシブルケーブルより発生するＥＭＩを低減することができる。なお、ＤＶＤ−ＲＡＭでは、ＮＲＺ信号の周波数（３Ｔ長マーク、３Ｔ長スペースの繰返しが最高周波数になる）はチャンネンルクロック信号ｃｈＣＬＫの１／６である。
しかし、光ディスクの大容量化（高密度化）に伴い、記録媒体から情報を読み出す時の再生信号のレベルも低下してきており、再生データの信頼性確保には記録回路系から再生回路系へのクロストーク等の影響をより低減する必要がある。光ピックアップには、光ディスクからの反射光を検出するホトディテクタ群およびその出力電流を電圧変換するＩＶアンプ群が搭載され、その出力がフレキシブルケーブルを介してリードチャンネルＬＳＩ等に供給されている。よって、フレキシブルケーブル上での記録回路系から再生回路系へのクロストーク等の影響を低減し、再生Ｓ／Ｎ劣化を防止する必要がある。
特に、第４図の（１）に示すＤＶＤ−ＲＡＭ（２．６ＧＢｙｔｅ）フォーマットのように、セクタを記録の単位（ユーザデータ２Ｋｂｙｔｅの記憶）とし、各セクタ先頭部にそのセクタの物理的アドレス情報が予めピット等により記録されている（この領域をＰＩＤと称す）場合、セクタ毎にＰＩＤを再生しアドレスを確認してそのセクタのユーザデータ領域に記録すべきデータを記録する必要がある。つまり、データの記録時にあっても、データの記録のみを行っているのではなく、データの記録、再生を繰り返し行っていることになる。
このような構成の半導体レーザ駆動回路のように、ＰＩＤに引き続くユーザデータ記録時のクロック信号ｃｈＣＬＫ（ｎてい倍手段の出力信号）の周波数安定性を考慮して、第４図の（４）に示すようにＰＩＤ再生時にもクロック信号ＣＬＫをフレキシブルケーブル等の信号線（以下単に「フレキシブルテーブル」と称する）を介して半導体レーザ駆動回路に供給し続けた場合、フレキシブルケーブル上でクロック信号ＣＬＫのＥＭＩ（フレキシブルケーブル上のクロック信号より放射される不要輻射）が同じフレキシブルケーブルあるいは別途設けた光電変換回路のフレキシブルケーブル上のＲｅａｄ信号（第４図の（５））に飛び込むことでクロストーク（ｃｒｏｓｓ ｔａｌｋ）が生じ、再生信号のＳ／Ｎの劣化を生じるという難点がある。
本発明の目的は、データの記録に必要なクロック信号等のＥＭＩが再生信号へ漏れ込み、クロストークが生じることによる再生信号のＳ／Ｎ劣化を低減すること、再生信号のＳ／Ｎ劣化の原因となるＥＭＩレベルの増加を抑えることにある。
発明の開示
上記目的を達成するために、本発明では、記録媒体に情報を記録する時にクロック信号ｃｈＣＬＫを動作クロックとし、半導体レーザの記録駆動電流波形を生成するＬＤ記録駆動電流波形生成手段及び記録媒体より情報を読み出す時に半導体レーザに再生駆動電流を供給する再生駆動電流供給手段を有する半導体レーザ駆動回路と、該半導体レーザ駆動回路に該クロック信号ｃｈＣＬＫを供給する記録クロック供給手段と、該半導体レーザ駆動回路の記録、再生動作を制御する記録再生モード制御手段と、該記録再生モード制御手段の出力が再生動作を指示している時、該記録クロック供給手段から該半導体レーザ駆動回路へのクロック信号ｃｈＣＬＫの供給を停止するクロック停止手段とを備えた光ディスク装置とする。
また、上記目的を達成するために、本発明では、クロック信号ＣＬＫの周波数をｎてい倍（ｎは正の整数）したクロック信号ｃｈＣＬＫを出力するてい倍手段、記録媒体に情報を記録する時にクロック信号ｃｈＣＬＫを動作クロックとし、半導体レーザの記録駆動電流波形を生成するＬＤ記録駆動電流波形生成手段及び記録媒体より情報を読み出す時に半導体レーザに再生駆動電流を供給する再生駆動電流供給手段を有する半導体レーザ駆動回路と、該半導体レーザ駆動回路に該クロック信号ＣＬＫを供給する記録クロック供給手段と、該半導体レーザ駆動回路の記録、再生動作を制御する記録再生モード制御手段と、該記録再生モード制御手段の出力が再生動作を指示している時、該記録クロック供給手段から該半導体レーザ駆動回路へのクロック信号ＣＬＫの供給を停止するクロック停止手段とを備えた光ディスク装置とする。
発明を実施するための最良の形態
以下、図を用いて本発明の実施例を説明する。
（１）第１の実施例
（１．１）第１の実施例の構成
第１図に本発明の第１の実施例の構成を示す。
半導体レーザ駆動回路１は、半導体レーザダイオード２を駆動し、ＬＤ出射光３を記録媒体たる光ディスク（図示せず）に出射する。光ディスクに出射したＬＤ出射光３の反射光たるＤｉｓｋ反射光４は、光電変換回路５のＰｈｏｔｏ Ｄｅｔｅｃｔｏｒ群５１により検出され、反射光量に応じた電流信号を発生する。Ｐｈｏｔｏ Ｄｅｔｅｃｔｏｒ群５１の出力電流は、光電変換回路５のＩ−Ｖ Ａｍｐ群５２によって電圧信号に変換される。光電変換回路５は、この電圧信号を出力信号（Ｖａ，Ｖｂ…Ｖｈ）として出力する。フレキシブルケーブル６には、半導体レーザ駆動回路１を制御するディジタル信号処理部（ＤＳＰ）７の制御信号線及び光電変換回路５の出力信号線が布線されている。Ｒｅａｄ Ｃｈａｎｎｅｌ回路８は、光電変換回路５からの電圧信号を処理してＤＳＰ７に供給する。
半導体レーザ駆動回路１は、２値化記録信号ＮＲＺと記録再生動作モードを制御する制御信号ＷＲｇａｔｅおよびクロック信号ＣＬＫをもとに記録時の半導体レーザ駆動電流波形を生成するＬＤ記録駆動電流波形生成手段１１、半導体レーザ駆動波形を生成するに必要な駆動波形情報１７をＬＤ記録駆動電流波形生成手段１１に供給するＳｅｒｉａｌ ｉｎｔｅｒｆａｃｅ回路１６、ＤＳＰ７より供給される駆動電流Ｉｉｎを電流増幅するＲｅａｄ ＡＰＣ Ａｍｐ１２、再生時に半導体レーザ２に高周波電流を供給する高周波重畳回路（ＨＦＭ）１３およびＬＤ記録駆動電流波形生成手段１１とＲｅａｄ ＡＰＣ Ａｍｐ１２およびＨＦＭ１３の各出力電流を加算して半導体レーザダイオード２に供給する加算手段１４を有する。
ＤＳＰ７は、半導体レーザ駆動回路１に記録クロックを供給する記録クロック供給手段７２ａ、半導体レーザ駆動回路１の記録・再生動作のモードを制御する記録・再生モード制御手段７１、記録・再生モード制御手段７１の出力信号ＷＲｇａｔｅが再生モードを指示している時、記録クロック供給手段７２ａからの記録クロック信号ＣＬＫの半導体レーザ駆動回路への供給を停止するクロック停止手段７３を有する。また、ＤＳＰ７は、Ｓｅｒｉａｌ ｉｎｔｅｒｆａｃｅ回路１６を動作状態にするＳＥＮ信号、Ｓｅｒｉａｌ ｉｎｔｅｒｆａｃｅ回路１６のクロック信号ＳＣＬＫ及びＳｅｒｉａｌ ｉｎｔｅｒｆａｃｅ回路１６のデータ信号ＳＤＩＯをＳｅｒｉａｌ ｉｎｔｅｒｆａｃｅ回路１６に供給して、Ｓｅｒｉａｌ ｉｎｔｅｒｆａｃｅ回路１６を制御する。
半導体レーザ駆動回路１、半導体レーザダイオード２および光電変換回路５は光ピックアップに搭載されている。光ピックアップは、光ディスクへの記録あるいは光ディスクからの読み出し時、記録場所（アドレス）、再生場所（アドレス）に対応して光ディスクの半径方向に可動する。半導体レーザ駆動回路１の制御信号は、前述したようにフレキシブルケーブル６を介して、ＤＳＰ７より供給される。また、光電変換回路５の出力信号は、前述したようにフレキシブルケーブル６を介して、Ｒｅａｄ Ｃｈａｎｎｅｌ回路８に供給される。
（１．２）第１の実施例の動作
以下、この第１の実施例の動作および各部の詳細について説明する。
記録・再生モード制御手段７１の出力信号ＷＲｇａｔｅによって本実施例の光ディスク装置の動作が制御される。制御信号ＷＲｇａｔｅがＬ（記録モード指示）のときには記録動作を、Ｈ（再生モード指示）のときには再生動作を行う。
（１．２．１）制御信号ＷＲｇａｔｅの生成
制御信号ＷＲｇａｔｅは、光電変換回路５の出力信号をもとにＲｅａｄ Ｃｈａｎｎｅｌ回路８にて検出し、出力されるＰＩＤ（Ｐｈｙｓｉｃａｌ Ｉｄｅｎｔｉｆｉｃａｔｉｏｎ Ｄａｔａ）区間検出信号と、記録トラックのウォブル（蛇行）によるウォブル信号をもとにＤＳＰ７により生成される。
このＰＩＤ区間の検出方法およびウォブル信号に関しては、文献（１）：ＤＶＤ−ＲＡＭ規格の全容、策定者が詳説する（下） ＮＩＫＫＥＩ ＥＬＥＣＴＲＯＮＩＣＳ １９９７．１０．２０（ｎｏ．７０１）ｐａｇｅ１７８〜１８２および同文献の図１７から図２０に詳細に記載されている。文献（１）では、ＰＩＤ区間はヘッダ区間として、ＰＩＤ区間検出信号はアドレス検出信号として記載してある。
ＤＶＤ−ＲＡＭ（２．６Ｇｂｙｔｅ）フォーマットの場合、ＰＩＤは同文献の図２０のように、２つに分割され前半部（ヘッダ１、２部）が記録トラック（データ記録領域）に対して１／２トラック幅外周側（あるいは内周側）にずらして配置され、後半部（ヘッダ３、４部）が１／２トラック幅内周側（あるいは外周側）に配置されている。また記録トラック（データ記録領域）は蛇行して形成されており、この蛇行はセクタあたり２３２サイクル（ｃｈＣＬＫ周期の１／１８６）となっている。
よって、再生回路系５の出力信号をもとに生成したトラッキング信号（プッシュプル信号）は、ＰＩＤ区間に於いて大きく変動する。例えば、外周側を＋側とすれば、ＰＩＤの前半部では＋側に、後半部では−側に大きく変動する。この様子が同文献の図２０に示してある。この変動を利用してＰＩＤの区間を検出する。また、記録トラックが蛇行しているので、この蛇行は等価的にトラッキング信号のエラーとなりウォブル信号が検出される。
ＤＳＰ７はこのＰＩＤ区間検出信号と、ウォブル信号をｎてい倍して生成したｃｈＣＬＫ信号をもとに制御信号ＷＲｇａｔｅを生成する。
複数セクタの連続記録動作に先立って、まず、制御信号ＷＲｇａｔｅを再生状態にして上記のＰＩＤ区間の検出を行い現在のアドレスを検出し、所望のセクタまでＰＩＤのアドレス検出を行い、所望のセクタ検出後から図５の（２）に示したように記録データ領域で制御信号ＷＲｇａｔｅを記録状態にする。各セクタの記録データ領域の開始、終了タイミングは、先のウォブル信号より生成したｃｈＣＬＫ信号の係数に基づいて行う。
（１．２．２）再生動作
記録・再生モード制御手段７１の出力信号ＷＲｇａｔｅがＨのとき再生動作を行う。このとき、半導体レーザ駆動回路１は、ＤＳＰ７よりフレキシブルケーブル６を介して供給される再生駆動電流ＩｉｎをＲｅａｄ ＡＰＣ Ａｍｐ１２にて電流増幅し、加算手段１４にて高周波重畳回路１３からの高周波電流信号と加算して半導体レーザダイオード２を駆動する。半導体レーザダイオード２は再生パワーで発光して光ディスクを照射する。光ディスクからの反射光４はＰｈｏｔｏ Ｄｅｔｅｃｔｏｒ群５１に導かれ、各Ｐｈｏｔｏ Ｄｅｔｅｃｔｏｒ（ａからｈの８個）にて受光量を検出する。各Ｐｈｏｔｏ Ｄｅｔｅｃｔｏｒの受光量に対応した電流はＰｈｏｔｏ Ｄｅｔｅｃｔｏｒに対応したＩ−Ｖ Ａｍｐ（ａからｈの８回路）にて電流−電圧変換され（図中のＶａからＶｈの検出信号）、フレキシブルケーブル６を介してＲｅａｄ Ｃｈａｎｎｅｌ回路８に供給される。
（１．２．３）記録動作
記録・再生モード制御手段７１の出力信号ＷＲｇａｔｅがＬのとき記録動作を行う。
このとき、半導体レーザ駆動回路１は、ＬＤ記録駆動電流生成手段１１からの記録駆動電流が、加算回路１４にてＲｅａｄ ＡＰＣ Ａｍｐ１２の駆動電流（再生動作時の再生駆動電流と同じ電流）と加算され半導体レーザダイオード２を駆動する。
ＬＤ記録駆動電流生成手段１１は、ＤＳＰ７より供給される２値化記録信号ＮＲＺ、クロック信号ＣＬＫ（この第１の実施例ではチャンネルクロック信号に対応し、ＮＲＺ信号の変化の最小単位の周期に対応する。）をもとに、記録するマークの長さ（マーク長で例えは３Ｔ，４Ｔ，，１１Ｔ）および隣接するスペースの長さ（スペース長で例えば３Ｔ，４Ｔ，，１１Ｔ）に対応した記録駆動電流波形を生成する。どのような記録駆動電流波形を生成するかは、Ｓｅｒｉａｌ ｉｎｔｅｒｆａｃｅ部１６を介してＤＳＰ７より供給される記録駆動波形情報１７によって設定される。
（１．２．４）動作タイミング
第５図に第１の実施例の動作タイミングを示す。図中の（１）は光ディスクのフォーマット（Ｄｉｓｋ ｆｏｒｍａｔ）を、（２）は制御信号Ｗｒｇａｔｅの信号波形を、（３）はＬＤ記録駆動電流波形生成手段１１あるいは加算回路１４より記録駆動電流波形（ｗｒｉｔｅ ｐｕｌｓｅ）を出力している区間（タイミング）を示している。また、図中の（４）は記録クロック信号ＣＬＫを、フレキシブルケーブル６を介して半導体レーザ駆動回路１に供給している区間（タイミング）を、（５）は駆動電流Ｉｉｎが出力されている区間（タイミング）を、（６）はＰＩＤ（フィジカルＩＤで各セクタの物理的アドレス情報が記録されている）を再生し、各Ｉ−Ｖ Ａｍｐ５２の出力信号（Ｖａ，Ｖｂ…Ｖｈ）がフレキシブルケーブル６を介してＲｅａｄ Ｃｈａｎｎｅｌ回路８に供給されている区間（タイミング）を示している。
このディスクフォーマットは、例えばＤＶＤ ＲＡＭディスクのように、記録の単位をセクタ単位にし、セクタ毎にユーザデータ２０４８ｂｙｔｅと誤り訂正符号を記録するフィールド（ユーザデータ領域（ＤＡＴＡ ｒｅｗｒｉｔａｂｌｅ）で、約２４１８×１６Ｔ長）と各セクタのディスク上の物理的アドレス情報を予め記録（ピットで構成）してある領域（ＰＩＤで１２８×１６Ｔ長）および両領域間の緩衝領域となる領域（ＧＡＰ，正確にはギャップおよびガード領域より構成される。約３０×１６Ｔ長）より構成されている。
セクタＮにユーザデータを記録する場合は、セクタＮのＰＩＤを再生してその記録すべきセクタの物理アドレスを確認して記録する。これは従来のシーケンシャルにデータを記録する方式（例えばＣＤ−Ｒなどの記録方法）に対して、セクタを単位にランダムに記録を可能にした方式（これにより光ディスク本来の記録および再生のランダムアクセス性を実現）において、誤ったセクタにデータを記録し、既に記録してあったデータを破壊、損失することを防止するためである。いわば、記録モードにあっても単純に記録のみを行っているわけではなく、データの記録、ＰＩＤの再生を繰り返し行っているものである。
上記に示したディスクフォーマットに対応して、記録・再生モード制御手段７１は、図中（２）に示すように、ＰＩＤ区間で再生モード（ｒｅａｄ）を指示し、ＧＡＰ領域およびユーザデータ領域（図中（１）の「ＤＡＴＡ ｒｅｗｒｉｔａｂｌｅ」）にて記録モード（ｗｒｉｔｅ）を指示する制御信号ＷＲｇａｔｅを出力する。
クロック停止手段７３は、制御信号ＷＲｇａｔｅの指示モードに対応して、半導体レーザ駆動回路１への記録クロックＣＬＫの供給・停止を制御する。図中（４）に示すようにＷＲｇａｔｅがＨ（再生モード）時、記録クロックＣＬＫの供給を停止し、Ｌ（記録モード）時、記録クロックＣＬＫを供給する。
ＬＤ記録駆動電流波形生成手段１１は、供給される記録クロックＣＬＫと２値化記録信号ＮＲＺをもとに記録駆動電流波形を生成し、さらに駆動電流Ｉｉｎを加算して、図中（３）に示すタイミング（ユーザデータ領域）にて半導体レーザダイオード２を駆動し（ｏｕｔ ｗｒｉｔｅ ｐｕｌｓｅ）、ディスク上にマークおよびスペースを形成する。
このような動作タイミングでは、図中（６）の出力信号が出力されている期間、すなわちＰＩＤ再生期間中にあっては記録クロックＣＬＫの出力を停止しているので、駆動電流Ｉｉｎ及び出力信号（Ｖａ，Ｖｂ…Ｖｈ）への記録クロックのＥＭＩによる影響が、記録クロックＣＬＫを出力している場合に比べて小さくなるし、２値化記録信号ＮＲＺを出力している場合（ｏｕｔ ｗｒｉｔｅ ｐｕｌｓｅ）に比べても小さくなる。
（１．３）第１の実施例の効果
以上説明したように、第１の実施例では、ＰＩＤ再生時に記録クロックＣＬＫを停止するので、以下の効果がある。
ａ）フレキシブルケーブル６上での光電変換回路５の出力信号（Ｖａ，Ｖｂ…Ｖｈ）への記録クロックＣＬＫのＥＭＩによるクロストークを低減することができるので、ＰＩＤ等のデータ再生の誤り率を低減させることができる。
ｂ）フレキシブルケーブル６上での再生時の半導体レーザダイオードの駆動電流を決める駆動電流Ｉｉｎへの記録クロックＣＬＫのＥＭＩによるクロストークを低減でき、このクロストークによる半導体レーザダイオード２の出射光の変動を低減でき、結果的に再生信号のＳ／Ｎ劣化を防止することができ、ＰＩＤ等のデータ再生の誤り率を低減させることができる。
ｃ）上記のようにフレキシブルケーブル６上での再生信号系への記録クロックのクロストークを低減できるので、記録クロック信号、再生回路系出力信号および駆動電流信号Ｉｉｎをフレキシブルケーブル上に近接配置することが可能となり、フレキシブルケーブルの幅を低減でき、装置の小型化が可能となる。
（２）第２の実施例
（２．１）第２の実施例の構成
第２図に本発明の第２の実施例の構成を示す。第１図と同一の機能を有するものには同一番号を付している。
第１の実施例における光ディスク装置の構成と異なる点は、クロック停止手段７３を介して供給されるクロック信号ＣＬＫをてい倍してチャンネルクロック信号ｃｈＣＬＫを生成しＬＤ記録駆動電流波形生成手段１１に供給するてい倍手段（Ｐｈａｓｅ Ｌｏｃｋｅｄ Ｌｏｏｐ）１５を設けたことである。
第３図にてい倍手段（ＰＬＬ）１５の構成を示す。分周回路１５１は、ＶＣＯ（Ｖｏｌｔａｇｅ Ｃｏｎｔｒｏｌｌｅｄ Ｏｓｃｉｌｌａｔｏｒ）１５６の出力信号ｃｈＣＬＫの周波数をｎ分周する。位相差検出回路１５２は、分周回路１５１の出力信号ＣＬＫ０とクロック停止手段７３を介して供給される記録クロック信号ＣＬＫの位相差を検出する。ｃｈａｒｇｅ ｐｕｍｐ回路１５３は位相差検出回路１５２の検出位相差に対応する電圧を生成する。ＬＰＦ（Ｌｏｗ ｐａｓｓ ｆｉｌｔｅｒ）１５４は、ｃｈａｒｇｅ ｐｕｍｐ回路１５３の出力信号を平滑化する。Ｈｏｌｄ回路１５５は、制御信号ＷＲｇａｔｅがＨ（再生モード）のとき、ＬＰＦ１５４の出力値をホールドする。ＶＣＯ１５６は、Ｈｏｌｄ回路１５５を介して供給されるＬＰＦ１５４の出力値に対応してその発振周波数を可変する。このＶＣＯ１５６の出力信号がチャンネルクロック信号ｃｈＣＬＫとしてＬＤ記録駆動電流波形生成手段１１に供給される。
（２．２）第２の実施例の動作
てい倍手段（ＰＬＬ）１５のてい倍数ｎは、Ｓｅｒｉａｌ ｉｎｔｅｒｆａｃｅ部１６を介してＤＳＰ７より設定される。記録クロック供給手段７２ｂは、このてい倍数ｎ情報１８に対応してチャンネルクロックｃｈＣＬＫの周波数ｆｃｈＣＬＫの１／ｎの周波数の記録クロックＣＬＫを出力する。てい倍手段（ＰＬＬ）１５は、この記録クロックＣＬＫをｎてい倍してチャンネルクロックｃｈＣＬＫを生成し、ＬＤ記録駆動電流波形生成手段１１に供給する。ＬＤ記録駆動電流波形生成手段１１は、第１の実施例と同様に、ＤＳＰ７より供給される２値化記録信号ＮＲＺ、てい倍手段（ＰＬＬ）１５より供給されるチャンネルクロック信号ｃｈＣＬＫをもとに記録駆動電流波形を生成する。そして、この生成された電流に駆動電流Ｉｉｎを加算して、半導体レーザドライバ２を駆動する。
（２．２．１）動作タイミング
第６図に第２の実施例の動作タイミングを示す。図中（１）は光ディスクのフォーマット（Ｄｉｓｋ ｆｏｒｍａｔ）を、（２）は制御信号ＷＲｇａｔｅを、（３）はＬＤ記録駆動電流波形生成手段１１あるいは加算回路１４より記録駆動電流波形（ｗｒｉｔｅ ｐｕｌｓｅ）を出力している区間（タイミング）を示している。これらは第１の実施例の動作タイミングと同じである。図中（４）はてい倍手段（ＰＬＬ）１５の動作タイミングを、（５）は記録クロックＣＬＫ（第２の実施例では、ＣＬＫの周波数はチャンネルクロックｃｈＣＬＫの１／ｎである）をフレキシブルケーブル６を介して半導体レーザ駆動回路１に供給している区間（タイミング）を示している。図中（６）は駆動電流Ｉｉｎが出力されている区間（タイミング）を、（７）はＰＩＤを再生し、各Ｉ−Ｖ Ａｍｐ５２の出力信号がフレキシブルケーブル６を介してＲｅａｄ Ｃｈａｎｎｅｌ回路８に供給されている区間（タイミング）を示している。
セクタ単位でユーザデータを記録する場合、第１の実施例と同様に、記録・再生モード制御手段７１は、第６図の（２）に示すように、ＰＩＤ区間で、制御信号ＷＲｇａｔｅをＨ（再生モード）にし、ＧＡＰおよびユーザデータ領域でＬ（記録モード）にする。
クロック停止手段７３は第１の実施例と同様に、ＷＲｇａｔｅがＨ（再生モード）のとき、記録クロック供給手段７２ｂからの記録クロックＣＬＫの半導体レーザ駆動回路１への供給を停止し、ＷＲｇａｔｅがＬ（記録モード）のとき、記録クロックＣＬＫを半導体レーザ駆動回路１に供給する。
てい倍手段（ＰＬＬ）１５は、第６図の（４）に示すように、制御信号ＷＲｇａｔｅがＬ（記録モード）のとき、クロック停止手段７３を介して供給される記録クロックＣＬＫを入力信号とし、分周回路１５１の出力信号ＣＬＫ０と位相が一致するように動作する。両者の位相が一致すると結果的にＶＣＯ１５６の出力はＣＬＫをｎ倍したチャンネルクロックｃｈＣＬＫになり、これがＬＤ記録駆動電流波形生成手段１１に供給される。制御信号ＷＲｇａｔｅがＨ（再生モード）のとき、Ｈｏｌｄ回路１５５は直前（ＷＲｇａｔｅがＬからＨに変化した直前）のＬＰＦ１５４の出力値をホールドする。
このＨｏｌｄ回路１５５の出力値でＶＣＯ１５６の発振周波数を制御する。よって、ＷＲｇａｔｅがＨ（再生モード）の区間、記録クロックＣＬＫの供給は停止されているが、ＶＣＯ１５６の発振周波数は、ＷＲｇａｔｅがＬ（記録モード）時とほぼ等しい周波数を保持する。
このＰＩＤ再生区間のＶＣＯ１５６の発振周波数の保持により、再度ＷＲｇａｔｅがＬ（記録モード）に入ったとき、ＶＣＯ１５６の記録クロックＣＬＫへの引込み（分周回路出力ＣＬＫ０が記録クロックＣＬＫの周波数に一致させ、さらに位相を一致させるようにする動作）をより速くすることができる。なんとなれば、保持しているＶＣＯ１５６の周波数が記録クロックＣＬＫのｎ倍に近い、言い換えれば分周回路の出力ＣＬＫ０の周波数が記録クロックＣＬＫの周波数にほぼ等しいので、ＣＬＫ０の周波数をＣＬＫの周波数に一致させる制御時間が短くて済むためである。
このような動作タイミングでは、第１の実施例と同様に、図中（６）の出力信号が出力されている期間、すなわちＰＩＤ再生期間中にあっては記録クロックＣＬＫの出力を停止しているので、駆動電流Ｉｉｎ及び出力信号（Ｖａ，Ｖｂ…Ｖｈ）への記録クロックのＥＭＩによる影響が、記録クロックＣＬＫを出力している場合に比べて小さくなるし、２値化記録信号ＮＲＺを出力している場合（ｏｕｔ ｗｒｉｔｅ ｐｕｌｓｅ）に比べても小さくなる。
さらに、フレキシブルケーブル６上を通る記録クロックＣＬＫの周波数を第１の実施例に比べて小さくすることができるので、記録クロックＣＬＫによるＥＭＩの影響そのものを小さくすることができる。
（２．３）第２の実施例の効果
以上説明したように、第２の実施例では、第１の実施例の効果に加え、以下の効果がある。
ｄ）てい倍手段（ＰＬＬ）１５により記録クロックＣＬＫを半導体レーザ駆動回路１側（光ピックアップ側）でｎてい倍するので、フレキシブルケーブル６上の記録クロックＣＬＫの周波数を１／ｎに低減することができる。従って、フレキシブルケーブル６から放射される不要輻射（ＥＭＩ）のレベルを第１の実施例に比べて低減することができるので、データ記録時における駆動電流Ｉｉｎへのクロストークを第１の実施例に比べて低減することができる。つまり、第１の実施例に比べて記録駆動電流波形を高精度に生成可能となる。
ｅ）再生モード区間でＶＣＯ１５６の発振周波数を保持することにより、記録モードの開始時点でより速くＶＣＯ１５６の発振周波数を記録クロックＣＬＫの周波数のｎ倍に引込むことができ、ユーザデータ領域でのチャンネルクロックｃｈＣＬＫの変動等を低減でき、記録データの信頼性劣化を防止することができる。産業上の利用可能性
本発明の光ディスク装置では、再生信号のＳ／Ｎ劣化を低減することができる。また、再生信号のＳ／Ｎ劣化の原因となるＥＭＩレベルの増加を抑えることができる。
特に、光ディスク上のアドレス情報を読み、記録位置を確認しながらデータの記録を行うような光ディスク装置にあっては、アドレス情報等のデータ再生の誤り率を低減させることができるので、データ記録の信頼性を高めることができる。
【図面の簡単な説明】
第１図は、本発明の第１の実施例の構成を示す図である。
第２図は、本発明の第２の実施例の構成を示す図である。
第３図は、第２の実施例のＰＬＬの構成を示す図である。
第４図は、記録クロックの再生系へのクロストークの様子を示す図である。
第５図は、第１の実施例の動作タイミングを示す図である。
第６図は、第２の実施例の動作タイミングを示す図である。
【図１】
0004042407.tif 000002
【図２】
0004042407.tif 000003
【図３】
0004042407.tif 000004
【図４】
0004042407.tif 000005
【図５】
0004042407.tif 000006
【図６】
0004042407.tif 000007